(57)【要約】【課題】予め決められた複数の撮像シーンを撮像する際に、簡便に撮り忘れを防止可能な撮像装置及び撮像方法を提供すること。【解決手段】予め登録された文字列が複数格納されたファイルを読み込む読み込み手段と、該読み込み手段により読み込まれた複数の文字列の中のいずれか１を表示する表示手段と、前記複数の文字列の中から、所望の１の文字列を選択する選択手段と、該選択手段が所望の１の文字列を選択して撮像した場合、当該選択された１の文字列に撮像済み情報を設定する設定手段と、を有し、前記表示手段は、前記複数の文字列の中で前記撮像済み情報が設定された文字列を表示したときには、併せて撮像済みであることを表示することを特徴とする。【選択図】図７
2012039174.tif 000002
【特許請求の範囲】
【請求項１】
予め登録された文字列が複数格納されたファイルを読み込む読み込み手段と、
該読み込み手段により読み込まれた複数の文字列の中のいずれか１を表示する表示手段と、
前記複数の文字列の中から、所望の１の文字列を選択する選択手段と、
該選択手段が所望の１の文字列を選択して撮像した場合、当該選択された１の文字列に撮像済み情報を設定する設定手段と、を有し、
前記表示手段は、前記複数の文字列の中で前記撮像済み情報が設定された文字列を表示したときには、併せて撮像済みであることを表示することを特徴とする撮像装置。
【請求項２】
撮像済み情報をクリアする消去手段を有し、
該消去手段は、前記表示手段が前記複数の文字列の中で前記撮像済み情報が設定された文字列を表示したときに、当該表示されている撮像済み情報が設定された文字列の撮像済み情報をクリアすることを特徴とする請求項１に記載の撮像装置。
【請求項３】
撮像済み情報をクリアする消去手段を有し、
該消去手段は、前記設定手段により設定された前記撮像済み情報の全てをクリアすることを特徴とする請求項１に記載の撮像装置。
【請求項４】
予め登録された文字列が複数格納されたファイルを読み込む読み込み工程と、
該読み込み工程により読み込まれた複数の文字列の中のいずれか１を表示する表示工程と、
前記複数の文字列の中から、所望の１の文字列を選択する選択工程と、
該選択工程が所望の１の文字列を選択して撮像した場合、当該選択された１の文字列に撮像済み情報を設定する設定工程と、を有し、
前記表示工程は、前記複数の文字列の中で前記撮像済み情報が設定された文字列を表示したときには、併せて撮像済みであることを表示することを特徴とする撮像方法。
【請求項５】
撮像済み情報をクリアする消去工程を有し、
該消去工程は、前記表示工程が前記複数の文字列の中で前記撮像済み情報が設定された文字列を表示したときに、当該表示されている撮像済み情報が設定された文字列の撮像済み情報をクリアすることを特徴とする請求項４に記載の撮像方法。
【請求項６】
撮像済み情報をクリアする消去工程を有し、
該消去工程は、前記設定工程により設定された前記撮像済み情報の全てをクリアすることを特徴とする請求項４に記載の撮像方法。
【発明の詳細な説明】
【技術分野】
【０００１】
本発明は、撮像装置及び撮像方法に関し、より詳しくは、文字列が格納されたファイルを読み込んで利用可能な撮像装置及び撮像方法に関する。
【背景技術】
【０００２】
近年、デジタルカメラには多様な機能が付加されるようになり、一般的なユーザーのみならず、その利用者の対象となる範囲は拡大の一途を辿っている。
これらの中でも、撮像するシーン（構図）を予め複数個所決めておき、この複数の撮像シーン全てについて撮り忘れがなく撮像するように利用するユーザーが増加している。例えば、工事現場などで必要とされる撮像シーンがあり、この撮像シーンを漏れなく撮像しなくてはならないようなユーザーが一例として挙げられる。
しかしながら、簡便に撮り忘れを防止する撮像装置に係る技術は未だ充分に開発されてはいなかった。
【０００３】
ここで、特許文献１（特開２００９−２３９６９６号公報）では、予めデジタルカメラを用いてユーザーが撮像することで取得した文字列を、撮像画像と関連付けて保存可能な撮像装置が開示されている。
しかしながら、特許文献１に記載の撮像装置では、所望する文字列はユーザーが撮像して取得することを要し、煩雑な操作が必要となる。また、特許文献１に記載の撮像装置では撮り忘れを防止するための機能がなく、簡便に撮り忘れを防止することはできなかった。
【０００４】
また、特許文献２（特許第４１２４４０２号公報）では、撮像リストを受け付けて記憶し、この記憶された撮像リストを表示・選択した後、さらに選択された撮像リスト内のカット名を表示し、次いで表示されたカット名の中の１を選択して撮像を行った場合、当該カット名の中の１に対応した撮像が行われたことが表示される撮像装置が開示されている。
しかしながら、特許文献２に記載の撮像装置では、撮像リストとカット名をそれぞれ選択する必要があり、処理の煩雑さが問題となる。また、特許文献２に記載の撮像装置では、撮像リストに含まれるカット名全てを撮像することが前提となっていて、撮像リストの選択の際や、電源オフの際に撮像済み情報が全てクリアされるため、使い勝手が悪かった。
【発明の概要】
【発明が解決しようとする課題】
【０００５】
本発明は、以上の従来技術における問題に鑑みてなされたものであり、予め決められた複数の撮像シーンを撮像する際に、簡便に撮り忘れを防止可能な撮像装置及び撮像方法を提供することを目的とする。
【課題を解決するための手段】
【０００６】
上記課題を解決するために本発明に係る撮像装置及び撮像方法は、具体的には下記（１）〜（６）に記載の技術的特徴を有する。
（１）：予め登録された文字列が複数格納されたファイルを読み込む読み込み手段と、該読み込み手段により読み込まれた複数の文字列の中のいずれか１を表示する表示手段と、前記複数の文字列の中から、所望の１の文字列を選択する選択手段と、該選択手段が所望の１の文字列を選択して撮像した場合、当該選択された１の文字列に撮像済み情報を設定する設定手段と、を有し、前記表示手段は、前記複数の文字列の中で前記撮像済み情報が設定された文字列を表示したときには、併せて撮像済みであることを表示することを特徴とする撮像装置である。
（２）：撮像済み情報をクリアする消去手段を有し、該消去手段は、前記表示手段が前記複数の文字列の中で前記撮像済み情報が設定された文字列を表示したときに、当該表示されている撮像済み情報が設定された文字列の撮像済み情報をクリアすることを特徴とする上記（１）に記載の撮像装置である。
（３）：撮像済み情報をクリアする消去手段を有し、該消去手段は、前記設定手段により設定された前記撮像済み情報の全てをクリアすることを特徴とする上記（１）に記載の撮像装置である。
（４）：予め登録された文字列が複数格納されたファイルを読み込む読み込み工程と、該読み込み工程により読み込まれた複数の文字列の中のいずれか１を表示する表示工程と、前記複数の文字列の中から、所望の１の文字列を選択する選択工程と、該選択工程が所望の１の文字列を選択して撮像した場合、当該選択された１の文字列に撮像済み情報を設定する設定工程と、を有し、前記表示工程は、前記複数の文字列の中で前記撮像済み情報が設定された文字列を表示したときには、併せて撮像済みであることを表示することを特徴とする撮像方法である。
（５）：撮像済み情報をクリアする消去工程を有し、該消去工程は、前記表示工程が前記複数の文字列の中で前記撮像済み情報が設定された文字列を表示したときに、当該表示されている撮像済み情報が設定された文字列の撮像済み情報をクリアすることを特徴とする上記（４）に記載の撮像方法である。
（６）撮像済み情報をクリアする消去工程を有し、該消去工程は、前記設定工程により設定された前記撮像済み情報の全てをクリアすることを特徴とする上記（４）に記載の撮像方法である。
【発明の効果】
【０００７】
本発明によれば、予め決められた複数の撮像シーンを撮像する際に、簡便に撮り忘れを防止可能な撮像装置及び撮像方法を提供することができる。
【図面の簡単な説明】
【０００８】
【図１】本発明に係る撮像装置の一実施の形態におけるデジタルカメラの外観の構成を示す概略図である。
【図２】本発明に係る撮像装置の一実施の形態におけるデジタルカメラの構成を示すブロック図である。
【図３】本発明に係る撮像装置において用いられる分類項目とカメラメモ内容の一例を示す図である。
【図４】本発明に係る撮像装置において用いられるカメラメモファイルの一例を示す図である。
【図５】本発明に係る撮像装置におけるカメラメモ表示の一例を示す図である。
【図６】本発明に係る撮像装置におけるカメラメモ表示のその他の例を示す図である。
【図７】図６に示すカメラメモ表示に併せて撮像済み表示がされた例を示す図である。
【図８】撮像済み情報のクリアの実行を選択するための画面例を示す図である。
【図９】セットアップメニューから撮像済み情報のオールクリアを実行するための画面への移行を選択するための画面例を示す図である。
【図１０】撮像済み情報のオールクリアの実行を選択するための画面例を示す図である。
【発明を実施するための形態】
【０００９】
本発明に係る撮像装置は、予め登録された文字列が複数格納されたファイルを読み込む読み込み手段と、該読み込み手段により読み込まれた複数の文字列の中のいずれか１を表示する表示手段と、前記複数の文字列の中から、所望の１の文字列を選択する選択手段と、該選択手段が所望の１の文字列を選択して撮像した場合、当該選択された１の文字列に撮像済み情報を設定する設定手段と、を有し、前記表示手段は、前記複数の文字列の中で前記撮像済み情報が設定された文字列を表示したときには、併せて撮像済みであることを表示することを特徴とする。
また、本発明に係る撮像装置は、予め登録された文字列が複数格納されたファイルを読み込む読み込み工程と、該読み込み工程により読み込まれた複数の文字列の中のいずれか１を表示する表示工程と、前記複数の文字列の中から、所望の１の文字列を選択する選択工程と、該選択工程が所望の１の文字列を選択して撮像した場合、当該選択された１の文字列に撮像済み情報を設定する設定工程と、を有し、前記表示工程は、前記複数の文字列の中で前記撮像済み情報が設定された文字列を表示したときには、併せて撮像済みであることを表示することを特徴とする。
次に、本発明に係る撮像装置及び撮像方法についてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００１０】
以下、図面を参照しながら本発明の実施の形態につき説明する。
図１は、本発明の撮像装置の一例であるデジタルカメラの外観図である。また、図２は、本発明の撮像装置の一例であるデジタルカメラのブロック図である。
図１に示すように、デジタルカメラ上面にはユーザーのレリーズを受け付けるレリーズシャッター（ＳＷ１）と、ユーザーによるモード切替を可能とするモードダイアル（ＳＷ２）とが配置されている。また、サブＬＣＤ（１）が設けられ、後述するＳＵＢ−ＣＰＵ（１０９）により制御される。
デジタルカメラ正面には鏡胴ユニット（７）、リモコン受光部（６）、ＣＰＵブロック（１０４−３）により制御される測距ユニット（５）、光学ファインダ（４）、ストロボ回路（１１４）を介してＣＰＵブロック（１０４−３）により制御されるストロボ発光部（３）が設けられ、また側面にはＳＤカード／電池蓋（２）が設けられてなる。
デジタルカメラ背面には、ＬＣＤモニタ（１０）、光学ファインダ（４）、ＡＦ  ＬＥＤ（８）、ストロボＬＥＤ（９）が設けられ、ユーザーからの操作を受け付ける各種スイッチ（ＳＷ３〜ＳＷ１３）が設けられている。
【００１１】
さらに、図１，図２を使用して、本発明の撮像装置の一例であるデジタルカメラの動作を説明する。
【００１２】
図１及び図２において、鏡胴ユニット（７）は、被写体の光学画像を取り込むズームレンズ（７−１ａ）、ズーム駆動モータ（７−１ｂ）からなるズーム光学系（７−１）、フォーカスレンズ（７−２ａ）、フォーカス駆動モータ（７−２ｂ）からなるフォーカス光学系（７−２）、絞り（７−３ａ）、絞りモータ（７−３ｂ）からなる絞りユニット（７−３）、メカシャッタ（７−４ａ）、メカシャッタモータ（７−４ｂ）からなるメカシャッタユニット（７−４）、各モータを駆動するモータドライバ（７−５）を有する。
【００１３】
鏡胴ユニット（７）は、カメラ本体に着脱可能であり、カメラには、様々なズーム倍率、ＣＣＤサイズの鏡胴ユニットが着脱できる。
そして、モータドライバ（７−５）は、リモコン受光部（６）入力や操作部Ｋｅｙユニット（ＳＷ１〜ＳＷ１３）の操作入力に基づく、後述するデジタルスチルカメラプロセッサ（１０４）内にあるＣＰＵブロック（１０４−３）からの駆動指令により駆動制御される。
【００１４】
ＲＯＭ（１０８）には、ＣＰＵブロック（１０４−３）にて解読可能なコードで記述された、制御プログラムや制御するためのパラメータが格納されている。このデジタルカメラの電源がオン状態になると、前記プログラムは不図示のメインメモリにロードされ、前記ＣＰＵブロック（１０４−３）はそのプログラムに従って装置各部の動作を制御するとともに、制御に必要なデータ等を、一時的に、ＲＡＭ（１０７）、及び後述するデジタルスチルカメラプロセッサ（１０４）内にあるＬｏｃａｌＳＲＡＭ（１０４−４）に保存する。ＲＯＭ（１０８）に書き換え可能なフラッシュＲＯＭを使用することで、制御プログラムや制御するためのパラメータを変更することが可能となり、機能のＶｅｒＵｐが容易に行える。
【００１５】
ＣＣＤ（１０１）は、光学画像を光電変換するための固体撮像素子であり、Ｆ／Ｅ（フロントエンド）−ＩＣ（１０２）は、画像ノイズ除去用相関二重サンプリングを行うＣＤＳ（１０２−１）、利得調整を行うＡＧＣ（１０２−２）、デジタル信号変換を行うＡ／Ｄ（１０２−３）、ＣＣＤ１信号処理ブロック（１０４−１）より、垂直同期信号（以下、ＶＤと記す。）、水平同期信号（以下、ＨＤと記す。）を供給され、ＣＰＵブロック（１０４−３）によって制御されるＣＣＤ（１０１）、及びＦ／Ｅ−ＩＣ（１０２）の駆動タイミング信号を発生するＴＧ（１０２−４）を有する。
【００１６】
デジタルスチルカメラプロセッサ（１０４）は、ＣＣＤ（１０１）よりＦ／Ｅ―ＩＣ（１０２）の出力データにホワイトバランス設定やガンマ設定を行い、又、前述したように、ＶＤ信号、ＨＤ信号を供給するＣＣＤ１信号処理ブロック（１０４−１）、フィルタリング処理により、輝度データ・色差データへの変換を行うＣＣＤ２信号処理ブロック（１０４−２）、前述した装置各部の動作を制御するＣＰＵブロック（１０４−３）、前述した制御に必要なデータ等を、一時的に、保存するＬｏｃａｌＳＲＡＭ（１０４−４）、パソコンなどの外部機器とＵＳＢ通信を行うＵＳＢブロック（１０４−５）、パソコンなどの外部機器とシリアル通信を行うシリアルブロック（１０４−６）、ＪＰＥＧ圧縮・伸張を行うＪＰＥＧＣＯＤＥＣブロック（１０４−７）、画像データのサイズを補間処理により拡大／縮小するＲＥＳＩＺＥブロック（１０４−８）、画像データを液晶モニタやＴＶなどの外部表示機器に表示するためのビデオ信号に変換するＴＶ信号表示ブロック（１０４−９）、撮像された画像データを記録するメモリカードの制御を行うメモリカードコントローラブロック（１０４−１０）を有する。
【００１７】
ＳＤＲＡＭ（１０３）は、前述したデジタルスチルカメラプロセッサ（１０４）で画像データに各種処理を施す際に、画像データを一時的に保存する。保存される画像データは、例えば、ＣＣＤ（１０１）から、Ｆ／Ｅ−ＩＣ（１０２）を経由して取りこんで、ＣＣＤ１信号処理ブロック（１０４−１）でホワイトバランス設定、ガンマ設定が行われた状態の「ＲＡＷ−ＲＧＢ画像データ」やＣＣＤ２信号処理ブロック（１０４−２）で輝度データ・色差データ変換が行われた状態の「ＹＵＶ画像データ」、ＪＰＥＧＣＯＤＥＣブロック（１０４−７）で、ＪＰＥＧ圧縮された「ＪＰＥＧ画像データ」などである。
【００１８】
メモリカードスロットル（１２１）は、着脱可能なメモリカードを装着するためのスロットルである。また、ＬＡＮカードや無線ＬＡＮカード、Ｂｌｕｅｔｏｏｔｈカードも挿入可能な構成としても良い。
【００１９】
内蔵メモリ（１２０）は、前述したメモリカードスロットル（１２１）にメモリカードが装着されていない場合でも、撮像した画像データを記憶できるようにするためのメモリである。
【００２０】
また、内蔵メモリ（１２０）には、ストロボモード設定や、画質設定、撮像画像サイズ設定などの各種情報を記憶することができ、カメラの電源をオフしても、再度電源投入時にこれらの情報を読み出して設定することにより、各種設定を保持することができる。
【００２１】
ＬＣＤドライバ（１１７）は、後述するＬＣＤモニタ（１０）を駆動するドライブ回路であり、ＴＶ信号表示ブロック（１０４−９）から出力されたビデオ信号を、ＬＣＤモニタ（１０）に表示するための信号に変換する機能も有している。
【００２２】
ＬＣＤモニタ（１０）は、撮像前に被写体の状態を監視する、撮像した画像を確認する、メモリカードや前述した内蔵メモリ（１２０）に記録した画像データを表示する、などを行うためのモニタである。
【００２３】
ビデオＡＭＰ（１１８）は、ＴＶ信号表示ブロック（１０４−９）から出力されたビデオ信号を、７５Ωインピーダンス変換するためのアンプであり、ビデオジャック（１１９）は、ＴＶなどの外部表示機器と接続するためのジャックである。
【００２４】
ＵＳＢコネクタ（１２２）は、パソコンなどの外部機器とＵＳＢ接続を行う為のコネクタである。
【００２５】
シリアルドライバ回路（１２３−１）は、パソコンなどの外部機器とシリアル通信を行うために、前述したシリアルブロック（１０４−６）の出力信号を電圧変換するための回路であり、ＲＳ−２３２Ｃコネクタ（１２３−２）は、パソコンなどの外部機器とシリアル接続を行う為のコネクタである。
【００２６】
ＳＵＢ−ＣＰＵ（１０９）は、ＲＯＭ・ＲＡＭをワンチップに内蔵したＣＰＵであり、操作Ｋｅｙユニット（ＳＷ１〜１３）やリモコン受光部（６）の出力信号をユーザーの操作情報として、前述したＣＰＵブロック（１０４−３）に出力したり、前述したＣＰＵブロック（１０４−３）より出力されるカメラの状態を、後述するサブＬＣＤ（１）、ＡＦＬＥＤ（８）、ストロボＬＥＤ（９）、ブザー（１１３）の制御信号に変換して、出力する。
【００２７】
サブＬＣＤ（１）は、例えば、撮像可能枚数など表示するための表示部であり、ＬＣＤドライバ（１１１）は、前述したＳＵＢ−ＣＰＵ（１０９）の出力信号より、前述したサブＬＣＤ（１）を駆動するためのドライブ回路である。
【００２８】
ＡＦＬＥＤ（８）は、撮像時の合焦状態を表示するためのＬＥＤであり、ストロボＬＥＤ（９）は、ストロボ充電状態を表すためのＬＥＤである。尚、このＡＦＬＥＤ（８）とストロボＬＥＤ（９）を、メモリカードアクセス中などの別の表示用途に使用しても良い。
【００２９】
操作Ｋｅｙユニット（ＳＷ１〜１３）は、ユーザーが操作するＫｅｙ回路であり、リモコン受光部（６）は、ユーザーが操作したリモコン送信機の信号の受信部である。
【００３０】
音声記録ユニット（１１５）は、ユーザーが音声信号を入力するマイク（１１５−３）、入力された音声信号を増幅するマイクＡＭＰ（１１５−２）、増幅された音声信号を記録する音声記録回路（１１５−１）からなる。
【００３１】
音声再生ユニット（１１６）は、記録された音声信号をスピーカーから出力できる信号に変換する音声再生回路（１１６−１）、変換された音声信号を増幅し、スピーカーを駆動するためのオーディオＡＭＰ（１１６−２）、音声信号を出力するスピーカー（１１６−３）からなる。
【００３２】
電子水準器（１３０）は、カメラの水平の傾き角度を検出できるものである、電子水準器からは、カメラの水平の傾き角度が出力される。
【００３３】
次に、デジタルカメラにおける文字列情報の利用方法の具体例について以下に述べる。
＜文字列情報のファイル（カメラメモファイル）への登録＞
まず、ユーザーは予めデジタルカメラで表示する文字列情報を登録したカメラメモファイルを作成する。作成はパーソナルコンピュータ等を用いてユーザーが独自のカメラメモファイルを作成してもよく、また、所定のカメラメモファイルをダウンロードして作成してもよい。
ここで、文字列情報とは、単数の文字列を、あるいは文字列の組み合わせを意味し、詳細は後述する。
【００３４】
カメラメモファイルには、メモの項目として設定する「分類項目」と、それぞれの分類項目に対するメモとして使用する「カメラメモ内容」と、を登録しておく。
図３に、登録された分類項目とカメラメモ内容との一例を示す。図３に示す例では、分類項目として、１つ目に都道府県、２つ目に市区町村、３つ目に地域がそれぞれ登録されている。また、カメラメモ内容は１〜６まで登録されていて、カメラメモ内容は１〜６のそれぞれについて、１〜３つ目の分類項目ごとのメモが登録されている。
より具体的には、カメラメモ内容１では、１つ目の分類項目である都道府県（分類項目１）に神奈川県（第１の文字列）が、２つ目の分類項目である市区町村（分類項目２）に横浜市（第２の文字列）が、３つ目の分類項目である地域（分類項目３）に北部（第３の文字列）が、それぞれ対応付けられて登録されている。
なお、図３に示す例では、文字列情報として、文字列の組み合わせを用いるものであり、この文字列の組み合わせであるカメラメモ内容がカメラメモファイルに複数（６つ）格納されてなる態様である。
【００３５】
カメラメモファイルのフォーマットの一例を図４に示す。
カメラメモファイルはテキストで記載され、「//**」の後が１つの数字の場合は、その後の文字が、数字番目の分類項目名となる。また、「//**」の後の数字部が「数字−数字」となっている場合は、その後の文字が、ハイフンの前の数字番目の分類項目における、ハイフンの後の数字番目のカメラメモ内容となる。
このカメラメモファイルは、「.mta」という拡張子である。また、カメラメモファイルは、メモリカードのようなデジタルカメラに着脱自在である記録媒体に保存され、このメモリカードからデジタルカメラが読み込むことで利用されることが好ましい。
【００３６】
なお、デジタルカメラ本体に着脱自在なメモリカードにカメラメモファイルを保存することで、例えばメモリカード毎に異なるカメラメモ内容を保存し、必要に応じて適切なメモリカードを用いることで、様々なシチュエーションに応じてメモリカードを入れ替えることのみで取り忘れを防止することができるため好ましい。また、メモリカード毎に必要最小限のカメラメモ内容を保存すればよく、こうすることでカメラメモ内容の呼び出しの際に、不必要なカメラメモ内容が呼び出されることがなく、簡便な操作で取り忘れを防止することができるため好ましい。
【００３７】
＜カメラメモファイルをデジタルカメラで表示＞
上記の「分類項目」と「カメラメモ内容」とを登録した、カメラメモファイルをＳＤカードに保存し、デジタルカメラを起動する。
ここで、操作ＳＷ（右ＳＷ（ＳＷ８））を押すと、デジタルカメラが具備する読み込み手段によりカメラメモファイルが読み込まれ、デジタルカメラの画面（表示手段としてのＬＣＤ（１０））上に、カメラメモ内容が表示される。
【００３８】
最初は、各分類項目における１番目のカメラメモ内容（例えば、図３に示す例ではカメラメモ内容１）が表示される（図５）。なお、本実施の形態では、カメラメモ内容に併せて分類項目もＬＣＤ（１０）に表示されている。また、以下においてカメラメモ内容と分類項目とが併せて表示された画面を、カメラメモ画面と称することもある。
【００３９】
ここでさらに選択手段としての右ＳＷ（ＳＷ８）を押すと、各分類項目と併せて、対応する２番目のカメラメモ内容（例えば、図３に示す例ではカメラメモ内容２）が表示される（図６）。そして、右ＳＷ（ＳＷ８）を押すごとに、順に各分類項目における３番目のカメラメモ内容、各分類項目における４番目のカメラメモ内容、各分類項目における５番目のカメラメモ内容、・・・と昇順にカメラメモ内容を表示できる。一方、他の選択手段としての左ＳＷ（ＳＷ１１）を押すと、上記右ＳＷ（ＳＷ８）とは逆に（降順に）カメラメモ内容の画面表示を切り換えて表示できる。
【００４０】
このカメラメモファイルには、図３に示すように、カメラメモ内容が６個登録されているので、カメラメモ画面は、１番目から６番目まで表示でき、選択手段としての右ＳＷ（ＳＷ８）と左ＳＷ（ＳＷ１１）とを用いて表示手段としてのＬＣＤ（１０）上に所望のカメラメモ画面を表示できる。
【００４１】
カメラメモ画面を表示して選択した状態、即ちカメラメモ撮像モードで撮像すると、表示しているカメラメモ内容が、撮像画像ファイルに記録される。また、このとき併せて分類項目がカメラメモ内容に対応付けられて撮像画像ファイルに記録される。
【００４２】
なお、図５及び図６に示すが如く、デジタルカメラのモニタリング中において、カメラメモ画面は被写体の光学画像と共にＬＣＤモニタ（１０）に表示されてなることが好ましいが、カメラメモ画面のみが表示される態様であってもよい。
【００４３】
＜撮像済み情報の記録＞
そして、カメラメモ撮像モードにおいて例えば、２番目の内容（カメラメモ内容２）の表示画面（図６）で撮像すると、この２番目の内容に対して設定手段により撮像済み情報がカメラメモファイルに記録される（図４）。
撮像済み情報は、図４に示すカメラメモファイルの最後の行に記録される。左から順に、１番目のカメラメモ内容の撮像済み情報（０が未撮像、１が撮像済みを示す）、２番目のカメラメモ内容の撮像済み情報、３番目のカメラメモ内容の撮像済み情報、・・・、右端が６番目のカメラメモ内容の撮像済み情報というような対応関係で記録される。
【００４４】
なお、撮像済み情報の記録はカメラメモファイルに行われる。即ち、撮像済み情報の所在はカメラメモファイルが保存されているＳＤカードにある。このため、例えば撮像済み情報が保存されているＳＤカードを、撮像を実際に行ったデジタルカメラとは異なる他のデジタルカメラに挿入し読み込みを行ったとしても、撮像を行ったデジタルカメラと同様に撮像済み情報を確認することができる。
【００４５】
ここで、上記特許文献２に記載の撮像装置と本発明に係る撮像装置との差異についてより詳細に説明する。
特許文献２に記載の撮像装置では、撮像画像データがカット名と対応付けられて保存されるものであり、この対応関係が特許文献２における撮像済み情報として用いられるものであり、撮像済み情報を独自のデータとして利用する本発明とは相違するものである。即ち、特許文献２に記載の撮像装置では、撮像画像データと撮像済み情報とを独立させて管理（複製、移動等）することができないという問題があった。
例えば、特許文献２に記載の撮像装置では、撮像リストに含まれるカット名に対応する撮像済み情報を削除するためには、撮像画像データを削除することを要するものであるなど、撮像画像データと撮像済み情報とが一体不可分ものである。一方、本発明に係る撮像装置では、撮像画像データは削除することなく、撮像済み情報を独立したデータとして消去手段により削除することができる。また、本発明では撮像画像データのみを別の記憶媒体などに移動した場合であっても、カメラメモファイルに保存された撮像済み情報を移動することなく残しておき、撮像画像データがなくとも撮像済み情報を表示することも可能である。
【００４６】
＜撮像済み情報の表示＞
デジタルカメラでは、カメラメモ画面をＬＣＤモニタ（１０）に表示するとき、カメラメモファイルに記録された撮像済み情報（図４）を読み込み、撮像済みのカメラメモ内容の場合は、併せて＜撮影済み＞という表示がされる（図７）。
【００４７】
＜撮像済み情報のクリア（１）＞
撮像済み情報のクリアの第１の実施の形態について説明する。なお、ここでは１のカメラメモ内容に対応して設定された撮像済み情報を削除する態様について説明する。
先ず、撮像済みのカメラメモ内容を表示中（図７）に、セルフタイマ／削除ＳＷ（ＳＷ５）を押すと、当該撮像済みのカメラメモ内容に対応して設定された撮像済み情報をクリアする（「はい」）か否か（「いいえ」）の確認画面が表示される（図８）。
このとき、「はい」を選択して、ＭＥＮＵ／ＯＫＳＷ（ＳＷ１２）を押すと、この撮像済み情報が削除される。即ち、図４に示すカメラメモファイルでの対応する撮像済み情報のフラグが０になる。
【００４８】
＜撮像済み情報のクリア（２）＞
撮像済み情報のクリアの第２の実施の形態について説明する。なお、ここではカメラメモファイルに記録された撮像済み情報の全てを削除する態様について説明する。
先ず、ＳＥＴＵＰメニューより、「撮像済み削除」を選択する（図９）。
次いで、ＭＥＮＵ／ＯＫＳＷ（ＳＷ１２）を押すと、撮像済み情報をクリアする（「はい」）か否か（「いいえ」）の確認画面が表示される（図１０）。
このとき、「はい」を選択して、ＭＥＮＵ／ＯＫＳＷ（ＳＷ１２）を押すと、撮像済み情報がすべて削除される。即ち、図４に示すカメラメモファイルでの撮像済み情報のフラグがすべて０になる。
【００４９】
以上説明したようなデジタルカメラを用いると、例えば、工事現場などで、予め撮像するシーンが決められている場合（１０シーン等）において、予め撮像しなければならないシーンをカメラメモファイルに登録しておくことができる。そして、このカメラメモファイルを用いることで、実際の現場で、カメラメモ画面を表示させ、その表示されたカメラメモ内容に対応した構図での撮像を行い、全てのカメラメモ画面で撮像済みになれば、撮像忘れを防ぐことができる。
即ち、同じシーン（カメラメモ内容に対応した構図）で複数撮像することがなくなる。また、撮像していないシーン（カメラメモ内容に対応した構図）がわかり、撮像の取りこぼしを防ぐことができる。
【符号の説明】
【００５０】
１  サブＬＣＤ
２  ＳＤカード／電池蓋
３  ストロボ発光部
４  光学ファインダ
５  測距ユニット
６  リモコン受光部
７  鏡筒ユニット
８  ＡＦ  ＬＥＤ
９  ストロボＬＥＤ
１０  ＬＣＤモニタ
【先行技術文献】
【特許文献】
【００５１】
【特許文献１】特開２００９−２３９６９６号公報
【特許文献２】特許第４１２４４０２号公報
【図１】
2012039174.tif 000003
【図２】
2012039174.tif 000004
【図３】
2012039174.tif 000005
【図４】
2012039174.tif 000006
【図５】
2012039174.tif 000007
【図６】
2012039174.tif 000008
【図７】
2012039174.tif 000009
【図８】
2012039174.tif 000010
【図９】
2012039174.tif 000011
【図１０】
2012039174.tif 000012